(57)【要約】車両室内に物品を収納するための装置は、操作されて使用位置及び閉位置に入ると共に、車両室内に、フロア（１４）有し、装置が使用位置（即ち、開位置）にあるときに車両室に露出する表面を有している。後部パネル（３０）は、ベース（２０）に枢着されていると共に、ベース（２０）の表面に覆い被さる閉位置と、ベース（２０）の表面に対して実質的に垂直の開位置との間を移動可能である。エンドパネル（３９Ａ，３９Ｂ）は、それぞれ後部パネル（３０）の端部に移動可能に取り付けられている。エンドパネル（３９ａ，３９ｄ）は、後部パネル（３０）に対して対面関係にある格納位置と、ベース（２０）の表面及び後部パネル（３０）に対して実質的に垂直に配置される使用位置との間を移動可能となっている。後部パネル（３０）又はベース（２０）の表面のどちらかに移動可能に取り付けられる１つ以上の仕切パネル（４０）を設けられている。
2004502584.tif 000002
【特許請求の範囲】
【請求項１】
フロアと、該フロア上に置かれるフロア敷物とを含む車両室内に物品を収納するための装置であって、
前記フロア敷物に枢着されていると共に、対向する前側面及び後側面並びに対向する第１端部及び第２端部を有している後部パネルを備え、該後部パネルは、前記前側面が前記フロア敷物に対して覆い被さる対面関係にある閉位置と、前記後部パネルが、前記フロア敷物に対して実質的に交差するように配置されていると共に、前記フロア敷物及び前記後部パネルにより部分的に囲まれていて内部に物品を受け入れるための収納室を画成する開位置との間で移動可能となっている、装置。
【請求項２】
前記後部パネルに取り付けられ、前記後部パネルを前記開位置に付勢するように構成された少なくとも１つの付勢装置を更に備えている、請求項１に記載の装置。
【請求項３】
前記フロア敷物は、前記後部パネルの前記後側面上に配置されている、請求項１に記載の装置。
【請求項４】
前記後部パネルの前記第１端部に移動可能に取り付けられた第１のエンドパネルを更に備え、該第１のエンドパネルは、前記後部パネルの前記前側面と対面関係にある格納位置と、前記フロア敷物及び前記後部パネルに対して実質的に交差するように配置した使用位置との間を移動可能であると共に、前記第１のエンドパネルは、前記閉位置から前記開位置への前記後部パネルの移動に対応して前記格納位置から前記使用位置に移動するようになっている、請求項１に記載の装置。
【請求項５】
前記後部パネルの前記第２端部に移動可能に取り付けられた第２のエンドパネルを更に備え、該第２のエンドパネルは、前記後部パネルの前記前側面と対面関係にある格納位置と、前記フロア敷物及び前記後部パネルに対して実質的に交差するように配置した使用位置との間を移動可能であると共に、前記第２のエンドパネルは、前記閉位置から前記開位置への前記後部パネルの移動に対応して前記格納位置から前記使用位置に移動するようになっている、請求項４に記載の装置。
【請求項６】
前記フロア敷物に移動可能に取り付けられた第１のエンドパネルを更に備え、該第１のエンドパネルは、前記フロア敷物と対面関係にある格納位置と、前記フロア敷物及び前記後部パネルに対して実質的に交差するように配置した使用位置との間を移動可能であると共に、前記第１のエンドパネルは、前記閉位置から前記開位置への前記後部パネルの移動に対応して前記格納位置から前記使用位置に移動するようになっている、請求項１に記載の装置。
【請求項７】
前記フロア敷物に移動可能に取り付けられた第２のエンドパネルを更に備え、該第２のエンドパネルは、前記フロア敷物と対面関係にある格納位置と、前記フロア敷物及び前記後部パネルに対して実質的に交差するように配置した使用位置との間を移動可能であると共に、前記第２のエンドパネルは、前記閉位置から前記開位置への前記後部パネルの移動に対応して前記格納位置から前記使用位置に移動するようになっている、請求項６に記載の装置。
【請求項８】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記フロア敷物及び前記後部パネルに対して実質的に交差するように配置した使用位置との間を移動可能であると共に、前記仕切パネルは、前記使用位置にあるとき前記収納室を複数の室部分に分けている、請求項１に記載の装置。
【請求項９】
前記仕切パネルに設けられた取扱部を更に備え、該取扱部は、ユーザーにより把持されて前記後部パネルを前記閉位置から前記開位置に移動するのに使用されるように構成されている、請求項８に記載の装置。
【請求項１０】
前記フロア敷物に移動可能に取り付けられた仕切パネルを更に備え、該仕切パネルは、前記フロア敷物と対面関係にある格納位置と、前記フロア敷物及び前記後部パネルに対して実質的に交差するように配置した使用位置との間を移動可能であると共に、前記仕切パネルは、前記使用位置にあるとき前記収納室を複数の室部分に分けている、請求項１に記載の装置。
【請求項１１】
前記フロア敷物と前記後部パネルの前記前側面とに取り付けられた可撓性材料を更に備え、該可撓性材料は、前記後部パネルが前記開位置に移動したときに前記収納室を複数の室部分に分割している、請求項１に記載の装置。
【請求項１２】
隣接した離間関係で前記フロア敷物に移動可能に取り付けられた一対の仕切パネルを更に備え、各仕切パネルは、前記フロア敷物と対面関係にある格納位置と、前記収納室を複数の室部分に分けるように前記フロア敷物及び前記後部パネルに対して実質的に交差して配置した使用位置との間を移動可能であり、
前記仕切パネルの対に設けられた取扱部を更に備え、該取扱部は、ユーザーにより把持されて前記仕切パネルを前記格納位置から前記使用位置に移動させるように構成されている、請求項１に記載の装置。
【請求項１３】
前記後部パネルの前記前側面から延びる１つ以上の突起部を更に備え、各突起部は、物品を該突起部に懸架して支持するように構成されている、請求項１に記載の装置。
【請求項１４】
前記後部パネルに取り付けられ、前記収納室と該収納室内に収納された物品とを囲むように構成された荷物用ネットを更に備えている、請求項１に記載の装置。
【請求項１５】
前記後部パネルを前記開位置に解除可能に固定するように構成されたロック部材を更に備えている、請求項１の装置。
【請求項１６】
フロアを含む車両室内に物品を収納するための装置であって、
前記フロア上に配置されていると共に、前記収納室に露出する表面を有しているベースと、
前記ベースに枢着されていると共に、対向する前側面及び後側面並びに対向する第１及び第２端部を有している後部パネルとを備え、該後部パネルは、前記前側面が前記ベースの表面に関して覆い被さる対面関係にある閉位置と、前記後部パネルが、前記ベースの表面に対して実質的に垂直に配置されていると共に、前記ベース及び前記後部パネルにより部分的に囲まれていて内部に物品を受け入れるための収納室を画成する開位置との間で移動可能となっている、装置。
【請求項１７】
前記後部パネルに取り付けられ、前記後部パネルを前記開位置に付勢するように構成された少なくとも１つの付勢装置を更に備えている、請求項１６に記載の装置。
【請求項１８】
前記ベースは、部分的に前記フロアの直下に配置されており、前記後部パネルは、前記閉位置にあるときに前記フロアと実質的に同一平面にある、請求項１６に記載の装置。
【請求項１９】
フロア敷物が前記フロア上と前記後部パネルの前記後側面上とに配置されており、前記後部パネルの前記後側面上の前記フロア敷物は、前記後部パネルが前記閉位置にあるときに、前記フロア上に配置された前記フロア敷物と実質的に同一平面にある、請求項１８に記載の装置。
【請求項２０】
前記ベースの表面は、水平に対して傾斜した方向性を有する部分を備えている、請求項１６に記載の装置。
【請求項２１】
前記後部パネルの前記第１端部に移動可能に取り付けられた第１のエンドパネルを更に備え、該第１のエンドパネルは、前記後部パネルの前記前側面と対面関係にある格納位置と、前記ベースの表面及び前記後部パネルに対して実質的に垂直に配置した使用位置との間を移動可能であると共に、前記第１のエンドパネルは、前記閉位置から前記開位置への前記後部パネルの移動に対応して前記格納位置から前記使用位置へと移動するようになっている、請求項１６に記載の装置。
【請求項２２】
前記後部パネルの前記第２端部に移動可能に取り付けられた第２のエンドパネルを更に備え、該第２のエンドパネルは、前記後部パネルの前記前側面と対面関係にある格納位置と、前記ベースの表面及び前記後部パネルに対して実質的に垂直に配置した使用位置との間を移動可能であると共に、前記第２のエンドパネルは、前記閉位置から前記開位置への前記後部パネルの移動に対応して前記格納位置から前記使用位置へと移動するようになっている、請求項２１に記載の装置。
【請求項２３】
前記ベースに移動可能に取り付けられた第１のエンドパネルを更に備え、該第１のエンドパネルは、前記ベースの表面と対面関係にある格納位置と、前記ベースの表面及び前記後部パネルに対して実質的に垂直に配置した使用位置との間を移動可能であると共に、前記第１のエンドパネルは、前記閉位置から前記開位置への前記後部パネルの移動に対応して前記格納位置から前記使用位置へと移動するようになっている、請求項１６に記載の装置。
【請求項２４】
前記ベースに移動可能に取り付けられた第２のエンドパネルを更に備え、該第２のエンドパネルは、前記ベースの表面と対面関係にある格納位置と、前記ベースの表面及び前記後部パネルに対して実質的に垂直に配置した使用位置との間を移動可能であると共に、前記第２のエンドパネルは、前記閉位置から前記開位置への前記後部パネルの移動に対応して前記格納位置から前記使用位置へと移動するようになっている、請求項２３に記載の装置。
【請求項２５】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項１６に記載の装置。
【請求項２６】
前記仕切パネルに設けられた取扱部を更に備え、該取扱部は、ユーザーにより把持されて前記後部パネルを前記閉位置から前記開位置に移動するのに使用されるように構成されている、請求項２５に記載の装置。
【請求項２７】
前記ベースの表面に移動可能に取り付けられた仕切パネルを更に備え、該仕切パネルは、前記ベースの表面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項１６に記載の装置。
【請求項２８】
前記ベースと前記後部パネルの前記前側面とに取り付けられた可撓性材料を更に備え、該可撓性材料は、前記後部パネルが前記開位置に移動したときに前記収納室を複数の室部分に分割している、請求項１６に記載の装置。
【請求項２９】
隣接した離間関係で前記ベースの表面に移動可能に取り付けられた一対の仕切パネルを更に備え、各仕切パネルは、前記ベースの表面と対面関係にある格納位置と、前記収納室を複数の室部分に分けるように前記ベースの表面及び前記後部パネルに対して実質的に垂直に配置した使用位置との間を移動可能であり、
前記仕切パネルの対に設けられた取扱部を更に備え、該取扱部は、ユーザーにより把持されて前記仕切パネルを前記格納位置から前記使用位置に移動させるように構成されている、請求項１６に記載の装置。
【請求項３０】
前記後部パネルの前記前側面から延びる１つ以上の突起部を更に備え、各突起部は、物品を該突起部に懸架して支持するように構成されている、請求項１６に記載の装置。
【請求項３１】
前記後部パネルに取り付けられ、前記収納室と該収納室内に収納された物品とを囲むように構成された荷物用ネットを更に備えている、請求項１６に記載の装置。
【請求項３２】
前記後部パネルを前記開位置に解除可能に固定するように構成されたロック部材を更に備えている、請求項１６に記載の装置。
【請求項３３】
フロアを含む車両室内に物品を収納するための装置であって、
前記フロア上に配置されていると共に、収納室に露出する表面を有しているベースを備え、
前記ベースに枢着されていると共に、対向する前側面及び後側面、対向する第１及び第２端部並びに対向する縁部を有している後部パネルを備え、該後部パネルは、前記前側面が前記ベースの表面に関して覆い被さる対面関係にある閉位置と、前記後部パネルが前記ベースの表面に対して実質的に垂直に配置される開位置との間を移動可能であり、
前記後部パネルに設けられ、ユーザーにより把持されるように構成されている取扱部を備え、
前記後部パネルの前記第１及び第２端部にそれぞれ移動可能に取り付けられた第１及び第２のエンドパネルを備え、該第１及び第２のエンドパネルのそれぞれは、前記後部パネルの前記前側面と対面関係にある格納位置と、実質的に水平の離間関係で前記ベースの表面及び前記後部パネルに対して実質的に垂直に配置した使用位置との間を移動可能であると共に、前記第１及び第２のエンドパネルは、前記取扱部による前記閉位置から前記開位置への前記後部パネルの移動に対応してそれぞれの前記格納位置から前記使用位置に移動し、前記ベース、前記後部パネル並びに前記第１及び第２のエンドパネルが内部に物品を受け入れるための収納室を画成している、装置。
【請求項３４】
前記後部パネルに取り付けられ、前記後部パネルを前記開位置に付勢するように構成された少なくとも１つの付勢装置を更に備えている、請求項３３に記載の装置。
【請求項３５】
前記ベースは、部分的に前記フロアの直下に配置されており、前記後部パネルは、前記閉位置にあるときに前記フロアと実質的に同一平面にある、請求項３３の装置。
【請求項３６】
フロア敷物が前記フロア上と前記後部パネルの前記後側面上とに配置されており、前記後部パネルの前記後側面上の前記フロア敷物は、前記後部パネルが前記閉位置にあるときに前記フロア上に配置された前記フロア敷物と実質的に同一平面にある、請求項３５に記載の装置。
【請求項３７】
前記ベースの表面は傾斜構造を有する部分を備えている、請求項３３に記載の装置。
【請求項３８】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項３３に記載の装置。
【請求項３９】
前記ベースの表面に移動可能に取り付けられた仕切パネルを更に備え、該仕切パネルは、前記ベースの表面と対面関係にある格納位置と、前記ベースの表面及び前記後部パネルに対して実質的に垂直に配置した使用位置との間を移動可能であると共に、前記仕切パネルは、前記収納室を複数の室部分に分けている、請求項３３に記載の装置。
【請求項４０】
前記後部パネルの前記前側面から延びる１つ以上の突起部を更に備え、各突起部は、物品を該突起部に懸架して支持するように構成されている、請求項３３に記載の装置。
【請求項４１】
前記後部パネルに取り付けられ、前記収納室と該収納室内に収納された物品とを囲むように構成された荷物用ネットを更に備えている、請求項３３に記載の装置。
【請求項４２】
前記後部パネルを前記開位置に解除可能に固定するように構成されたロック部材を更に備えている、請求項３３に記載の装置。
【請求項４３】
前記ベースと前記後部パネルの前記前側面とに取り付けられた可撓性材料を更に備え、該可撓性材料は、前記後部パネルが前記開位置に移動したときに前記収納室を複数の室部分に分割している、請求項３３に記載の装置。
【請求項４４】
フロアを含む車両室内に物品を収納するための装置であって、
前記フロア上に配置されていると共に、収納室に露出する表面を有しているベースを備え、
前記ベースに枢着されていると共に、対向する前側面及び後側面、対向する第１及び第２端部並びに対向する縁部を有する後部パネルを備え、該後部パネルは、前記前側面が前記ベースの表面に対して覆い被さる対面関係にある閉位置と、前記後部パネルが前記ベースの表面に対して実質的に垂直に配置される開位置との間を移動可能であり、
前記後部パネルの前記前側面に移動可能に取り付けられた仕切パネルを備え、該仕切パネルは、前記後部パネルの前記前側面と対面関係にある格納位置と、前記ベースの表面及び前記後部パネルに対して実質的に垂直に配置した使用位置との間を移動可能であり、
前記後部パネルの前記第１及び第２端部にそれぞれ移動可能に取り付けられた第１及び第２のエンドパネルを備え、該第１及び第２のエンドパネルのそれぞれは、前記後部パネルの前記前側面と対面関係にある格納位置と、実質的に水平の離間関係で前記ベースの表面及び前記後部パネルに対して実質的に垂直に配置した使用位置との間を移動可能であり、
前記格納位置から前記使用位置への前記仕切パネルの移動により、前記後部パネルを前記閉位置から前記開位置に移動させ、更に前記第１及び第２のエンドパネルをそれぞれの前記格納位置から前記使用位置に移動させて収納室を画成している、装置。
【請求項４５】
前記後部パネルに取り付けられ、前記後部パネルを前記開位置に付勢するように構成された少なくとも１つの付勢装置を更に備えている、請求項４４に記載の装置。
【請求項４６】
前記仕切パネルに設けられた取扱部を更に備え、該取扱部は、ユーザーにより把持されて前記格納位置から前記使用位置への前記仕切パネルの移動を容易にするように構成されている、請求項４４に記載の装置。
【請求項４７】
前記ベースは、部分的に前記フロアの直下に配置されており、前記後部パネルは、前記閉位置にあるときに前記フロアと実質的に同一平面にある、請求項４４に記載の装置。
【請求項４８】
フロア敷物が前記フロア上と前記後部パネルの前記後側面上とに配置されており、前記後部パネルの前記後側面上の前記フロア敷物は、前記後部パネルが前記閉位置にあるときに前記フロア上に配置された前記フロア敷物と実質的に同一平面にある、請求項４４に記載の装置。
【請求項４９】
前記ベースの表面は、傾斜構造を有する部分を備えている、請求項４４に記載の装置。
【請求項５０】
前記後部パネルの前記前側面から延びる１つ以上の突起部を更に備え、各突起部は、物品を該突起部に懸架して支持するように構成されている、請求項４４に記載の装置。
【請求項５１】
前記後部パネルに取り付けられ、前記収納室と該収納室内に収納された物品とを囲むように構成された荷物用ネットを更に備えている、請求項４４に記載の装置。
【請求項５２】
前記後部パネルを前記開位置に解除可能に固定するように構成されたロック部材を更に備えている、請求項４４に記載の装置。
【請求項５３】
前記ベースと前記後部パネルの前記前側面とに取り付けられた可撓性材料を更に備え、該可撓性材料は、前記後部パネルが前記開位置に移動したときに前記収納室を複数の室部分に分割している、請求項４４に記載の装置。
【請求項５４】
フロアを含む車両室内に物品を収納するための装置であって、
前記フロア上に配置されていると共に、対向する第１及び第２端部、対向する第１及び第２縁部、並びに収納室に露出する表面を有しているベースと、
それぞれ前記第１及び第２端部の近くで前記ベースの表面から延びる第１及び第２の伸張式壁体と、
前記ベースに枢着されていると共に、対向する第１及び第２端部を有しているパネルを備え、該パネルの前記第１及び第２端部は、それぞれ前記第１及び第２の伸張式壁体に接続されており、前記パネルは、前記ベースの表面と覆い被さる対面関係にある閉位置と、前記ベースの表面に対して実質的に交差するように配置した開位置との間を移動可能であり、前記ベース、第１及び第２の伸張式壁体並びにパネルが内部に物品を受け入れるための１つ以上の収納室を画成している、装置。
【請求項５５】
前記パネルに取り付けられ、前記パネルを前記開位置に付勢するように構成された少なくとも１つの付勢装置を更に備えている、請求項５４に記載の装置。
【請求項５６】
前記パネルはそこに貫通形成された開口を備えており、該開口に覆い被さる荷物用ネットを更に備えている、請求項５４に記載の装置。
【請求項５７】
前記パネルを前記開位置に解除可能に固定するように構成されたロック部材を更に備えている、請求項５４に記載の装置。
【請求項５８】
前記伸張式壁体は、前記パネルが前記閉位置から前記開位置に移動するときに積重関係から扇形の関係に移動するように構成された複数の部材を備えている、請求項５４に記載の装置。
【請求項５９】
前記伸張式壁体は荷物用ネットを備えている、請求項５４に記載の装置。
【請求項６０】
フロアを含む車両室内に物品を収納するための装置であって、
隣接した離間関係で前記フロアに枢着されている複数の細長いパネルを備え、各パネルは、対向する前側面及び後側面を備え、前記複数のパネルは、閉位置及び開位置の間を一括して移動可能であり、各パネルの前記前側面は、前記閉位置にあるときに前記フロアと覆い被さる対面関係にあり、前記複数のパネルは、前記開位置にあるときに前記フロアに対して実質的に交差するように一括して配置され、内部に物品を受け入れるための複数の収納室を画成している、装置。
【請求項６１】
１つ以上のパネルに取り付けられ、該パネルを前記開位置に付勢するように構成された少なくとも１つの付勢装置を更に備えている、請求項６０に記載の装置。
【請求項６２】
フロア敷物が前記フロア上に配置されており、該フロア敷物は、前記パネルのうちの１つ以上のパネルの前記後側面上に配置されている、請求項６０に記載の装置。
【請求項６３】
前記複数のパネルは、実質的に平行な離間関係にある、請求項６０に記載の装置。
【請求項６４】
前記複数のパネルを前記閉位置及び前記開位置間に一括して移動するように構成された取扱部を更に備えている、請求項６０に記載の装置。
【請求項６５】
フロアを含む車両室内に物品を収納するための装置であって、
前記フロアに枢着されていると共に、該フロアと対面接触関係にある格納位置と、前記フロアと離間した対面関係にある使用位置との間を移動可能である細長いパネルを備えており、該パネルがテーブル及び／又は棚の機能を果たすことができるようになっている、装置。
【請求項６６】
前記パネルに設けられた取扱部を更に備え、該取扱部は、ユーザーにより把持されて前記パネルを前記格納位置及び前記使用位置の間を移動させるように構成されている、請求項６５に記載の装置。
【請求項６７】
フロア敷物が前記フロア上に配置されており、該フロア敷物は、前記パネル上に配置されている、請求項６５に記載の装置。
【請求項６８】
フロアを含む車両室内に物品を収納するための装置であって、
前記フロアに枢着されている複数の壁体を備え、該壁体は、折り畳まれた平らな形態で前記フロアに覆い被さると共に、広げると内部に物品を受け入れるための収納室になるように構成されている、装置。
【請求項６９】
前記壁体の１つに設けられた取扱部を更に備え、該取扱部は、ユーザーにより把持されて前記複数の壁体を広げて収納室にするように構成されている、請求項６８に記載の装置。
【請求項７０】
フロア、及び該フロア上に配置されているフロア敷物を備えている車室と、
該車室内に物品を収納するための装置とを備え、該装置は、
前記フロア敷物に枢着されていると共に、対向する前側面及び後側面並びに対向する第１及び第２端部を備えている後部パネルを含み、該後部パネルは、前記前側面が前記フロア敷物と覆い被さる対面関係にある閉位置と、前記後部パネルが前記フロア敷物に対して実質的に交差するように配置されていると共に、内部に物品を受け入れるための収納室を画成している開位置との間を移動可能であり、該収納室は部分的に前記フロア敷物及び前記後部パネルにより囲まれている、車両。
【請求項７１】
前記後部パネルに取り付けられ、前記後部パネルを前記開位置に付勢するように構成された少なくとも１つの付勢装置を更に備えている、請求項７０に記載の車両。
【請求項７２】
前記フロア敷物は、前記後部パネルの前記後側面上に配置されている、請求項７０に記載の車両。
【請求項７３】
前記後部パネルの前記第１端部に移動可能に取り付けられた第１のエンドパネルを更に備え、該第１のエンドパネルは、前記後部パネルの前記前側面と対面関係にある格納位置と、前記フロア敷物及び前記後部パネルに対して実質的に交差するように配置した使用位置との間を移動可能であると共に、前記第１のエンドパネルは、前記閉位置から前記開位置への前記後部パネルの移動に対応して前記格納位置から前記使用位置に移動するようになっている、請求項７０に記載の車両。
【請求項７４】
前記後部パネルの前記第２端部に移動可能に取り付けられた第２のエンドパネルを更に備え、該第２のエンドパネルは、前記後部パネルの前記前側面と対面関係にある格納位置と、前記フロア敷物及び前記後部パネルに対して実質的に交差するように配置した使用位置との間を移動可能であると共に、前記第２のエンドパネルは、前記閉位置から前記開位置への前記後部パネルの移動に対応して前記格納位置から前記使用位置に移動するようになっている、請求項７３に記載の車両。
【請求項７５】
前記フロア敷物に移動可能に取り付けられた第１のエンドパネルを更に備え、該第１のエンドパネルは、前記フロア敷物と対面関係にある格納位置と、前記フロア敷物及び前記後部パネルに対して実質的に交差するように配置した使用位置との間を移動可能であると共に、前記第１のエンドパネルは、前記閉位置から前記開位置への前記後部パネルの移動に対応して前記格納位置から前記使用位置へと移動するようになっている、請求項７０に記載の車両。
【請求項７６】
前記フロア敷物に移動可能に取り付けられた第２のエンドパネルを更に備え、該第２のエンドパネルは、前記フロア敷物と対面関係にある格納位置と、前記フロア敷物及び前記後部パネルに対して実質的に交差するように配置した使用位置との間を移動可能であると共に、前記第２のエンドパネルは、前記閉位置から前記開位置への前記後部パネルの移動に対応して前記格納位置から前記使用位置へと移動するようになっている、請求項７５に記載の車両。
【請求項７７】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記フロア敷物及び前記後部パネルに対して実質的に交差するように配置した使用位置との間を移動可能であると共に、前記仕切パネルは、前記使用位置にあるとき前記収納室を複数の室部分に分けている、請求項７０に記載の車両。
【請求項７８】
前記仕切パネルに設けられた取扱部を更に備え、該取扱部は、ユーザーにより把持されて前記後部パネルを前記閉位置から前記開位置に移動するのに使用されるように構成されている、請求項７７に記載の車両。
【請求項７９】
前記フロア敷物に移動可能に取り付けられた仕切パネルを更に備え、該仕切パネルは、前記フロア敷物と対面関係にある格納位置と、前記フロア敷物及び前記後部パネルに対して実質的に交差するように配置した使用位置との間を移動可能であると共に、前記仕切パネルは、前記使用位置にあるとき前記収納室を複数の室部分に分けている、請求項７０に記載の車両。
【請求項８０】
前記フロア敷物と前記後部パネルの前記前側面とに取り付けられた可撓性材料を更に備え、該可撓性材料は、前記後部パネルが前記開位置に移動したときに前記収納室を複数の室部分に分割している、請求項７０に記載の車両。
【請求項８１】
隣接した離間関係で前記フロア敷物に移動可能に取り付けられた一対の仕切パネルを更に備え、各仕切パネルは、前記フロア敷物と対面関係にある格納位置と、前記収納室を複数の室部分に分けるように前記フロア敷物及び前記後部パネルに対して実質的に交差して配置した使用位置との間を移動可能であり、
前記仕切パネルの対に設けられた取扱部を更に備え、該取扱部は、ユーザーにより把持されて前記仕切パネルを前記格納位置から前記使用位置に移動させるように構成されている、請求項７０に記載の車両。
【請求項８２】
前記後部パネルの前記前側面から延びる１つ以上の突起部を更に備え、各突起部は、物品を該突起部に懸架して支持するように構成されている、請求項７０の車両。
【請求項８３】
前記後部パネルに取り付けられ、前記収納室と該収納室内に収納された物品とを囲むように構成された荷物用ネットを更に備えている、請求項７０に記載の車両。
【請求項８４】
前記後部パネルを前記開位置に解除可能に固定するように構成されたロック部材を更に備えている、請求項７０に記載の車両。
【請求項８５】
フロアを備える車室と、
該車室内に物品を収納するための装置とを備え、該装置は、
前記フロア上に配置されていると共に、前記車室に露出される表面を有しているベースと、
前記ベースに枢着されていると共に、対向する前側面及び後側面並びに対向する第１及び第２端部を含む後部パネルとを備え、該後部パネルは、前記前側面が前記ベースの表面と覆い被さる対面関係にある閉位置と、前記後部パネルが前記ベースの表面に対して実質的に垂直に配置されていると共に内部に物品を受け入れるための収納室を画成する開位置との間を移動可能であり、該収納室は部分的に前記ベース及び前記後部パネルにより囲まれている、車両。
【請求項８６】
前記後部パネルに取り付けられ、前記後部パネルを前記開位置に付勢するように構成された少なくとも１つの付勢装置を更に備えている、請求項８５に記載の車両。
【請求項８７】
前記ベースは、部分的に前記フロアの直下に配置されており、前記後部パネルは、前記閉位置にあるときに前記フロアと実質的に同一平面にある、請求項８５に記載の車両。
【請求項８８】
フロア敷物が前記フロア上と前記後部パネルの前記後側面上とに配置されており、前記後部パネルの前記後側面上の前記フロア敷物は、前記後部パネルが前記閉位置にあるときに前記フロア上に配置された前記フロア敷物と実質的に同一平面にある、請求項８７に記載の車両。
【請求項８９】
前記ベースの表面は、水平に対して傾斜した方向性を有する部分を備えている、請求項８５に記載の車両。
【請求項９０】
前記後部パネルの前記第１端部に移動可能に取り付けられた第１のエンドパネルを更に備え、該第１のエンドパネルは、前記後部パネルの前記前側面と対面関係にある格納位置と、前記ベースの表面及び前記後部パネルに対して実質的に垂直に配置した使用位置との間を移動可能であると共に、前記第１のエンドパネルは、前記閉位置から前記開位置への前記後部パネルの移動に対応して前記格納位置から前記使用位置へと移動するようになっている、請求項８５に記載の車両。
【請求項９１】
前記後部パネルの前記第２端部に移動可能に取り付けられた第２のエンドパネルを更に備え、該第２のエンドパネルは、前記後部パネルの前記前側面と対面関係にある格納位置と、前記ベースの表面及び前記後部パネルに対して実質的に垂直に配置した使用位置との間を移動可能であると共に、前記第２のエンドパネルは、前記閉位置から前記開位置への前記後部パネルの移動に対応して前記格納位置から前記使用位置へと移動するようになっている、請求項９０に記載の車両。
【請求項９２】
前記ベースに移動可能に取り付けられた第１のエンドパネルを更に備え、該第１のエンドパネルは、前記ベースの表面と対面関係にある格納位置と、前記ベースの表面及び前記後部パネルに対して実質的に垂直に配置した使用位置との間を移動可能であると共に、前記第１のエンドパネルは、前記閉位置から前記開位置への前記後部パネルの移動に対応して前記格納位置から前記使用位置へと移動するようになっている、請求項８５に記載の車両。
【請求項９３】
前記ベースに移動可能に取り付けられた第２のエンドパネルを更に備え、該第２のエンドパネルは、前記ベースの表面と対面関係にある格納位置と、前記ベースの表面及び前記後部パネルに対して実質的に垂直に配置した使用位置との間を移動可能であると共に、前記第２のエンドパネルは、前記閉位置から前記開位置への前記後部パネルの移動に対応して前記格納位置から前記使用位置へと移動するようになっている、請求項９２に記載の車両。
【請求項９４】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項８５に記載の車両。
【請求項９５】
前記仕切パネルに設けられた取扱部を更に備え、該取扱部は、ユーザーにより把持されて前記後部パネルを前記閉位置から前記開位置に移動するのに使用されるように構成されている、請求項９４に記載の車両。
【請求項９６】
前記ベースの表面に移動可能に取り付けられた仕切パネルを更に備え、該仕切パネルは、前記ベースの表面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項８５に記載の車両。
【請求項９７】
前記ベースと前記後部パネルの前記前側面とに取り付けられた可撓性材料を更に備え、該可撓性材料は、前記後部パネルが前記開位置に移動したときに前記収納室を複数の室部分に分けている、請求項８５に記載の車両。
【請求項９８】
隣接した離間関係で前記ベースの表面に移動可能に取り付けられた一対の仕切パネルを更に備え、各仕切パネルは、前記ベースの表面と対面関係にある格納位置と、前記収納室を複数の室部分に分けるように前記ベースの表面及び前記後部パネルに対して実質的に垂直に配置した使用位置との間を移動可能であり、
前記仕切パネルの対に設けられた取扱部を更に備え、該取扱部は、ユーザーにより把持されて前記仕切パネルを前記格納位置から前記使用位置に移動させるように構成されている、請求項８５に記載の車両。
【請求項９９】
前記後部パネルの前記前側面から延びる１つ以上の突起部を更に備え、各突起部は、物品を該突起部に懸架して支持するように構成されている、請求項８５に記載の車両。
【請求項１００】
前記後部パネルに取り付けられ、前記収納室と該収納室内に収納された物品とを囲むように構成された荷物用ネットを更に備えている、請求項８５に記載の車両。
【請求項１０１】
前記後部パネルを前記開位置に解除可能に固定するように構成されたロック部材を更に備えている、請求項８５に記載の車両。
【請求項１０２】
フロアを含む車室と、
該車室内に物品を収納するための装置とを備え、該装置は、
前記フロア上に配置されていると共に、収納室に露出する表面を有しているベースを備え、
前記ベースに枢着されていると共に、対向する前側面及び後側面、対向する第１及び第２端部並びに対向する縁部を有する後部パネルを備え、該後部パネルは、前記前側面が前記ベースの表面に対して覆い被さる対面関係にある閉位置と、前記後部パネルが前記ベースの表面に対して実質的に垂直に配置される開位置との間を移動可能であり、
前記後部パネルに設けられ、ユーザーにより把持されるように構成されている取扱部を備え、
前記後部パネルの前記第１及び第２端部にそれぞれ移動可能に取り付けられた第１及び第２のエンドパネルを備え、該第１及び第２のエンドパネルは、それぞれの前記後部パネルの前記前側面と対面関係にある格納位置と、実質的に水平の離間関係で前記ベースの表面及び前記後部パネルに対して実質的に垂直に配置した使用位置との間を移動可能であると共に、前記第１及び第２のエンドパネルは、前記取扱部による前記閉位置から前記開位置への前記後部パネルの移動に対応してそれぞれの前記格納位置から前記使用位置に移動し、前記ベース、後部パネル並びに第１及び第２のエンドパネルが内部に物品を受け入れるための収納室を画成している、車両。
【請求項１０３】
前記後部パネルに取り付けられ、前記後部パネルを前記開位置に付勢するように構成された少なくとも１つの付勢装置を更に備えている、請求項１０２に記載の車両。
【請求項１０４】
前記ベースは、部分的に前記フロアの直下に配置されており、前記後部パネルは、前記閉位置にあるときに前記フロアと実質的に同一平面にある、請求項１０２に記載の車両。
【請求項１０５】
フロア敷物が前記フロア上と前記後部パネルの前記後側面上とに配置されており、前記後部パネルの前記後側面上の前記フロア敷物は、前記後部パネルが前記閉位置にあるときに前記フロア上に配置された前記フロア敷物と実質的に同一平面にある、請求項１０４に記載の車両。
【請求項１０６】
前記ベースの表面は傾斜構造を有する部分を備えている、請求項１０２に記載の車両。
【請求項１０７】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項１０２に記載の車両。
【請求項１０８】
前記ベースの表面に移動可能に取り付けられた仕切パネルを更に備え、該仕切パネルは、前記ベースの表面と対面関係にある格納位置と、前記ベースの表面及び前記後部パネルに対して実質的に垂直に配置した使用位置との間を移動可能であると共に、前記仕切パネルは、前記収納室を複数の室部分に分けている、請求項１０２に記載の車両。
【請求項１０９】
前記後部パネルの前記前側面から延びる１つ以上の突起部を更に備え、各突起部は、物品を該突起部に懸架して支持するように構成されている、請求項１０２に記載の車両。
【請求項１１０】
前記ベースと前記後部パネルの前記前側面とに取り付けられた可撓性材料を更に備え、該可撓性材料は、前記後部パネルが前記開位置に移動したときに前記収納室を複数の室部分に分けている、請求項１０２に記載の車両。
【請求項１１１】
前記後部パネルに取り付けられ、前記収納室と該収納室内に収納された物品とを囲むように構成された荷物用ネットを更に備えている、請求項１０２に記載の車両。
【請求項１１２】
前記後部パネルを前記開位置に解除可能に固定するように構成されたロック部材を更に備えている、請求項１０２に記載の車両。
【請求項１１３】
フロアを含む車室と、
該車室内に物品を収納するための装置とを備え、該装置は、
前記フロア上に配置されていると共に、収納室に露出する表面を有しているベースを備え、
前記ベースに枢着されていると共に、対向する前側面及び後側面、対向する第１及び第２端部並びに対向する縁部を有している後部パネルを備え、該後部パネルは、前記前側面が前記ベースの表面に対して覆い被さる対面関係にある閉位置と、前記後部パネルが前記ベースの表面に対して実質的に垂直に配置される開位置との間を移動可能であり、
前記後部パネルの前記前側面に移動可能に取り付けられた仕切パネルを備え、該仕切パネルは、前記後部パネルの前記前側面と対面関係にある格納位置と、前記ベースの表面及び前記後部パネルに対して実質的に垂直に配置した使用位置との間を移動可能であり、
前記後部パネルの前記第１及び第２端部にそれぞれ移動可能に取り付けられた第１及び第２のエンドパネルを備え、該第１及び第２のエンドパネルは、それぞれの前記後部パネルの前記前側面と対面関係にある格納位置と、実質的に水平の離間関係で前記ベースの表面及び前記後部パネルに対して実質的に垂直に配置した使用位置との間を移動可能であり、
前記格納位置から前記使用位置への前記仕切パネルの移動により、前記後部パネルを前記閉位置から前記開位置に移動させ、前記第１及び第２のエンドパネルをそれぞれの前記格納位置からそれぞれの前記使用位置へと移動させて、収納室を画成している、車両。
【請求項１１４】
前記後部パネルに取り付けられ、前記後部パネルを前記開位置に付勢するように構成された少なくとも１つの付勢装置を更に備えている、請求項１１３に記載の車両。
【請求項１１５】
前記仕切パネルに設けられた取扱部を更に備え、該取扱部は、ユーザーにより把持されて前記格納位置から前記使用位置への前記仕切パネルの移動を容易にするように構成されている、請求項１１３に記載の車両。
【請求項１１６】
前記ベースは、部分的に前記フロアの直下に配置されており、前記後部パネルは、前記閉位置にあるときに前記フロアと実質的に同一平面にある、請求項１１３に記載の車両。
【請求項１１７】
フロア敷物が前記フロア上と前記後部パネルの前記後側面上とに配置されており、前記後部パネルの前記後側面上の前記フロア敷物は、前記後部パネルが前記閉位置にあるときに前記フロア上に配置された前記フロア敷物と実質的に同一平面にある、請求項１１６に記載の車両。
【請求項１１８】
前記ベースの表面は、傾斜構造を有する部分を備えている、請求項１１３に記載の車両。
【請求項１１９】
前記後部パネルの前記前側面から延びる１つ以上の突起部を更に備え、各突起部は、物品を該突起部に懸架して支持するように構成されている、請求項１１３に記載の車両。
【請求項１２０】
前記後部パネルに取り付けられ、前記収納室と該収納室内に収納された物品とを囲むように構成された荷物用ネットを更に備えている、請求項１１３に記載の車両。
【請求項１２１】
前記後部パネルを前記開位置に解除可能に固定するように構成されたロック部材を更に備えている、請求項１１３に記載の車両。
【請求項１２２】
前記ベースと前記後部パネルの前記前側面とに取り付けられた可撓性材料を更に備え、該可撓性材料は、前記後部パネルが前記開位置に移動したときに前記収納室を複数の室部分に分割している、請求項１１３に記載の車両。
【請求項１２３】
フロアを含む車室と、
該車室内に物品を収納するための装置とを備え、該装置は、
前記フロア上に配置されていると共に、対向する第１及び第２端部、対向する第１及び第２縁部、並びに収納室に露出する表面を有しているベースと、
それぞれ前記第１及び第２端部の近くで前記ベースの表面から延びる第１及び第２の伸張式壁体と、
前記ベースに枢着されていると共に、対向する第１及び第２端部を有しているパネルを備え、該パネルの前記第１及び第２端部は、それぞれ前記第１及び第２の伸張式壁体に接続されており、前記パネルは、前記ベースの表面と覆い被さる対面関係にある閉位置と、前記ベースの表面に対して実質的に交差するように配置した開位置との間を移動可能であり、前記ベース、第１及び第２の伸張式壁体並びにパネルが内部に物品を受け入れるための１つ以上の収納室を画成している、車両。
【請求項１２４】
前記パネルに取り付けられ、該パネルを前記開位置に付勢するように構成された少なくとも１つの付勢装置を更に備えている、請求項１２３に記載の車両。
【請求項１２５】
前記パネルはそこに貫通形成された開口を備えており、該開口に覆い被さる荷物用ネットを更に備えている、請求項１２３に記載の車両。
【請求項１２６】
前記パネルを前記開位置に解除可能に固定するように構成されたロック部材を更に備えている、請求項１２３に記載の車両。
【請求項１２７】
前記伸張式壁体は、前記パネルが前記閉位置から前記開位置に移動するときに積重関係から扇形の関係に移動するように構成された複数の部材を備えている、請求項１２３に記載の車両。
【請求項１２８】
前記伸張式壁体は荷物用ネットを備えている、請求項１２３に記載の車両。
【請求項１２９】
フロアを含む車室と、
該車室内に物品を収納するための装置とを備え、該装置は、
隣接した離間関係で前記フロアに枢着される複数の細長いパネルを備え、各パネルは、対向する前側面及び後側面を備え、前記複数のパネルは、閉位置及び開位置の間を一括して移動可能であり、各パネルの前記前側面は、前記閉位置にあるときに前記フロアと覆い被さる対面関係にあり、前記複数のパネルは、前記開位置にあるときに前記フロアに対して実質的に交差するように一括して配置され、内部に物品を受け入れるための複数の収納室を画成している、車両。
【請求項１３０】
１つ以上のパネルに取り付けられ、該パネルを前記開位置に付勢するように構成された少なくとも１つの付勢装置を更に備えている、請求項１２９に記載の車両。
【請求項１３１】
フロア敷物が前記フロア上に配置されており、該フロア敷物は、前記パネルのうちの１つ以上のパネルの前記後側面上に配置されている、請求項１２９に記載の車両。
【請求項１３２】
前記複数のパネルは、実質的に平行な離間関係にある、請求項１２９に記載の車両。
【請求項１３３】
前記複数のパネルを前記閉位置及び前記開位置の間に一括して移動するように構成された取扱部を更に備えている、請求項１２９に記載の車両。
【請求項１３４】
フロアを含む車室と、
該車室内に物品を収納するための装置とを備え、該装置は、
前記フロアに枢着されていると共に、該フロアと対面接触関係にある格納位置と、前記フロアと離間した対面関係にある使用位置との間を移動可能である細長いパネルを備えており、該パネルがテーブル及び／又は棚の機能を果たすことができるようになっている、車両。
【請求項１３５】
前記パネルに設けられた取扱部を更に備え、該取扱部は、ユーザーにより把持されて前記パネルを前記格納位置及び前記使用位置の間に移動させるように構成されている、請求項１３４に記載の車両。
【請求項１３６】
フロア敷物が前記フロア上に配置されており、該フロア敷物は、前記パネル上に配置されている、請求項１３４に記載の車両。
【請求項１３７】
フロアを含む車室と、
該車室内に物品を収納するための装置とを備え、該装置は、前記フロアに枢着されている複数の壁体を備え、該壁体は、折り畳まれた平らな形態で前記フロアに覆い被さると共に、広げると内部に物品を収納するための収納室になるように構成されている、車両。
【請求項１３８】
前記壁体の１つに設けられた取扱部を更に備え、該取扱部は、ユーザーにより把持されて前記複数の壁体を広げて収納室にするように構成されている、請求項１３７に記載の車両。
【発明の詳細な説明】
【０００１】
［発明の分野］
本発明は、総括的には車両に関し、特に、車両内で使用するための荷物管理装置に関するものである。
【０００２】
［関連出願］
本出願は、西暦２０００年６月２９日出願の米国仮出願第６０／２１４，９４７号の特典を主張するものであり、その全内容は、参照により、本明細書に完全に記載されているかのように本明細書に組み込まれる。
【０００３】
［発明の背景］
自動車は、一般に、何らかの形式の荷物収納室を備えている。例えば、セダン型自動車はトランクを慣行的に備えている。２列かそれ以上の座席があるスポーツ・ユーティリティ・ビークル及びミニバン車両は、最終列の座席の後方に荷物収納区域を慣行的に備えている。
【０００４】
車両の荷物収納区域内に入り運ばれる物品は、車両運転中に自由に動き回ることがしばしばあり、これは望ましいことではない。荷物用ネットを使用して車両の荷物収納室内での物品の移動を抑制することができる。かかるネットは物品が移動するのを適切に抑制するが、物品をネット内に入れながらネットを引き上げておくために２本の腕が必要であり、これは面倒なことである。
【０００５】
車両収納室に収納された物品の移動を防止するために、同車両収納室を分割する種々の装置が既知である。例えば、ウィスニースキー（Ｗｉｓｎｉｅｗｓｋｉ）等に付与された米国特許第６，０２７，１５５号に開示されている車両荷物室用の収納システムは、荷物室のフロアに取外し自在に装着されていると共に、開位置及び閉位置間に回転するように構成されたカバーを有している。セリーム（Ｓａｌｅｅｍ）等に付与された米国特許第５，６６９，５３７号は、車両収納区域の車両パネル間に延びて同パネルに結合する収納ユニットについて記載している。ウィスニースキー等に付与された米国特許第５，５０１，３８４号は、成形箱と該成形箱に枢着されたカバーとを含む車両用の収納システムについて記載している。
【０００６】
残念ながら、これらの装置は、幾分複雑であると共に嵩張り、車両の荷物収納区域内にコンパクトに格納するのには適応していない。更に、スポーツ・ユーティリティ・ビークル及びミニバンのような自動車において、荷物収納スペースはいくらか限られていることがある。従って、荷物収納装置には、車両の運転中、物品を荷物収納区域内に確実に保持し得ること、また、必要なときには、収納装置を荷物収納区域から取り出すことなく、邪魔にならないところに容易に保管できること、という必要性が存在している。加えて、乗員スペースに割り込むことなく、既存の荷物収納区域を最大限に有効に活用する必要性が存在している。
【０００７】
［発明の概要］
上述の説明に鑑みて、車両室（例えば、自動車のトランク、ミニバン及びＳＵＶ等の荷物区域）内で用いるための組立式収納装置が提供されている。本発明の実施例によると、収納装置は、車両室のフロア（又はフロア上の敷物）上に配置されるベースを含んでいる。このベースは、装置が使用位置にあるときに、車両室に少なくとも部分的に露出する表面を含んでいる。ベースは、ほぼ平らな構造でよく、或いはその１つ以上の部分が水平に対して傾斜した方向性を有することが可能である。後部パネルは、ベース上に枢着されており、後部パネルがベースの表面に関して覆い被さる対面関係にある閉位置と、後部パネルがベースの表面に対して実質的に垂直に配置される開位置との間で移動可能となっている。開位置において、後部パネル及びベースの表面は、内部に物品を受け入れるための収納室を画成している。
【０００８】
本発明の実施例によると、ベースは、部分的に前記フロアの直下に配置されており、後部パネルは、閉位置にあるときにフロアと実質的に同一平面にあるようになっている。本発明の実施例によると、ベースは、後部パネルが閉位置にあるときフロア敷物の上にあるように、フロア敷物上に配置されるようになっている。
【０００９】
本発明の実施例は、ベースとして別個の要素を必要としない。車両室内のフロア又はフロア敷物は、“ベース”としての役割を果たし得る。更に、本発明の実施例では、本明細書に記載されているように、後部パネルが閉位置にあるとき車両のフロア（又はフロア敷物）と実質的に同一平面にあることを必要としない。
【００１０】
本発明の実施例によると、フロア敷物の材料は、車両室のフロア上及び後部パネルの後側面上に配置してもよく、また、蝶番としての役目も果たしている。ベースは、後部パネルが閉位置にあるとき、後部パネル及びその上に置かれたフロア敷物が車両室のフロア及びフロア敷物を実質的に同一平面にあるように、車両室のフロアの十分下方に配置されるようになっている。
【００１１】
本発明の実施例によると、エンドパネルが後部パネルの各端部に移動可能に取り付けられている。エンドパネルは、後部パネルと対面関係にある格納位置と、ベースの表面及び後部パネルと実質的に垂直に配置した使用位置との間を移動可能である。これらのエンドパネルは、閉位置から開位置への後部パネルの移動に対応してそれぞれの格納位置から使用位置に移動するようになっている。或いは、エンドパネルは、ベースの表面に枢着されており、ベースの表面と対面関係にある格納位置と、ベースの表面及び後部パネルと実質的に垂直に配置した使用位置との間を移動可能である。
【００１２】
本発明の実施例によると、後部パネル又はベースの表面のどちらかに移動可能に取り付けられる１つ以上の仕切パネルを設けることができる。各仕切パネルは、使用位置にあるとき、収納室を複数の室部分に分けられるようになっている。各仕切パネルは、後部パネル（又はベースの表面）と対面関係にある格納位置と、ベースの表面及び後部パネルと実質的に垂直に配置した使用位置との間を移動可能である。各仕切パネルは、後部パネルがその閉位置から開位置へ移動するのに対応して、閉位置から開位置へ移動するようになっている。或いは、仕切パネルの移動は後部パネルの移動と独立していてもよい。本発明の他の実施例によると、１つ以上の仕切パネルは、取り外し可能であってもよく、また、種々の異なる位置で後部パネルに対して取り付けられるように構成されていてもよい。
【００１３】
本発明の実施例によると、取扱部を仕切パネル（又は後部パネル）に取り付けることができ、該取扱部は、ユーザーにより把持されて前記後部パネルを前記閉位置から前記開位置に移動するのに使用されるように構成されており、それにより仕切パネル及び／又はエンドパネルがそれぞれの使用位置に移動され、内部に物品を受け入れるための収納室を画成している。
【００１４】
本発明の更なる実施例によると、１つ以上の突起部（例えば、フック）を設けることができ、該突起部は後部パネルから延びている。このような突起部の各々は、そこから懸架される食料雑貨品の入ったバッグ等のような品物を支持するように構成されている。
【００１５】
本発明の別の実施例によると、収納室と該収納室内に収納された物品とを囲むように構成された荷物用ネットは、後部パネルに取り付けられるようになっている。
【００１６】
本発明の実施例によると、１つ以上のロック部材及び／又はばねが、後部パネルを開位置に維持するために設けられている。また、付勢装置を使用することにより、後部パネルは開くことが助成可能となっており、該付勢装置には、限定はされないが、ばね、伸縮式緩衝装置、ダンパー等が含まれている。
【００１７】
本発明の付加的実施例によると、収納装置は、車両室内に隣接した離間関係で枢着される複数の細長いパネルを含んでおり、該パネルは、複数の収納室を画成している。該パネルは、閉位置及び開位置の間に一括して移動可能である。閉位置において、各パネルの前側面は、車両のフロア（又はベース又はフロア敷物）と覆い被さる対面関係にある。開位置において、該パネルは、車両のフロア（又はベース又はフロア敷物）に対して実質的に交差するよう集合的に配置されており、内部に物品を受け入れるための複数の収納室を画成している。
【００１８】
本発明の更なる実施例によると、車両室内に物品を収納するための装置は、脚部材を介して車両室のフロア（又はフロア敷物又はベース）に枢着される細長いパネルを含んでいる。このパネルは、フロア（又はベース又はフロア敷物）に対して接触対面関係にある格納位置と、パネルがフロア（又はベース又はフロア敷物）に対して離間した対面関係にある使用位置との間を移動可能である。使用位置において、パネルは、テーブル及び／又は棚の機能を果たすことができる。
【００１９】
本発明による組立式装置は、折り畳んだ（即ち、閉じた）位置から広げた（即ち、開いた）位置及びその逆の位置に、片手だけを使った操作が可能に構成されている。本発明による装置は、ハンドルもしくは取扱部を持ち上げて回すことにより、簡単な一動作で格納位置から移動されて開位置へカチッと入るようになっている。後部パネル、エンドパネル及び仕切パネルは、カチッとロックされた向きとなるように構成されているので、装置を閉じる必要がくるまで確実に所定位置に留まることになる。本発明の実施例による装置をその内部への物品の収納にもはや使用したくない場合は、上述の手順を逆に行うことが可能である。従って、本発明の実施例による装置は、格納される閉位置から開いた使用位置へと迅速に且つ容易に移動することができる。
【００２０】
本発明の更なる実施例によると、車両室内に物品を収納するための組立式装置は、ベース、第１及び第２の伸張式壁体及びパネルを含んでいる。該パネルは、ベースに枢着されると共に、第１及び第２の伸張式壁体に接続されている。パネルは、ベースに対して覆い被さる対面関係にある閉位置と、ベースに対して実質的に交差するように構成された開位置との間を移動可能である。本発明の実施例によると、パネルはそこに貫通形成された開口を含んでおり、この開口に荷物用ネットが覆い被さっている。
【００２１】
本発明による車両収納装置は、フロア敷物と一体とすることができ、また、少なくとも部分的に車両室内のフロア敷物と同一の材料から製作することができるので、該装置は、フロア敷物の外観を殆ど変えずにフロア敷物上に折り畳むことが可能である。
【００２２】
更に、本発明の実施例による収納装置は、平らな状態に迅速に折り畳むことができるので、本収納装置は、使用されないとき及び／又はもっと大型の装置を荷物収納区域内に格納する必要があるときに、邪魔にならないように片付けておくことが可能である。
【００２３】
［発明の詳細な説明］
次に、本発明の好適な実施例を示す添付図面を参照して、本発明について以下に詳細に説明する。しかし、本発明は、種々の形態で実施し得るものであって、本明細書に記載された実施例に限定されると解釈すべきではなく、むしろ、これらの実施例は、その開示が全く完全であり、開示によって本発明の範囲が当業者に十分に伝えられるように提供されている。
【００２４】
図において、種々の線の太さ、各層の厚さ及び諸区域の密集度を明瞭にするため、誇張して示すことがある。当然のことながら層、区域、基材又はパネルのような要素が別の要素に対して“上にある”もしくは“接している”と言及されている場合、同要素は別の要素に直接に接していてよいし、或いは介在する要素が存在していてもよい。対照的に、ある要素が別の要素に“直接に接している”として言及されている場合、介在する要素は何ら存在しない。言うまでもなく、ある要素が別の要素に“結合もしくは接続”或いは“取り付けもしくは装着”されているとして言及される場合、同要素は別の要素に直接に接続されるか或いは取り付けられていてもよく、或いは介在要素が存在していてもよい。対照的に、ある要素が別の要素に“直接に結合もしくは接続”或いは“直接に取り付けもしくは装着”されているとして言及されている場合、介在する要素は何ら存在しない。この明細書において、用語“上方”、“下方”、“垂直”、“水平”等は単に説明の目的だけに使用されている。
【００２５】
図１を参照すると、車両室１２内に物品を収納するための本発明の実施例による組立式収納装置１０が示されている。図示の車両室１２は自動車のトランクである。しかし、当然のことながら、本発明の実施例は、ミニバン、トラック及び／又はスポーツ・ユーティリティ・ビークルの後部収納区域のような種々の車両の車室において制限なく使用することが可能である。図示の車両室１２は、フロア敷物（例えば、カーペット、マット等）１６を有する積載フロア（以後、“フロア”という）１４と、このフロア１４から実質的に垂直に延びる少なくとも１つの側壁１８とを含んでいる。図示の車両室１２は、フロア１４及び側壁１８により部分的に画成されている。しかし、他の壁体、背もたれ及びパッケージトレー（図示せず）が車両室１２を更に画成していてもよい。
【００２６】
図示の装置１０は、フロア１４の上に、或いは、少なくとも部分的にフロア１４の下に配置されるベース２０を含んでおり、このベース２０は、装置１０が使用位置（即ち、開位置）にあるときに車両室１２に少なくとも部分的にさらされる表面２２を有している。ベース２０は、フロア敷物１６のところに配置しても、或いはその下に配置してもよい。図示のベース２０は、ほぼ矩形の形状を有し、フロア敷物１６の全体よりも実質的に狭い範囲を占めており、側壁１８に隣接して配置されている。しかし、ベース２０は、円形、楕円形又は正方形のような任意の形状及び大きさを有していると共に、車両室１２内のどこにでも配置することができる。ベース２０がフロア敷物１６の下方に配置されている場合、フロア敷物１６は、装置１０が使用位置（即ち、開位置）にあるときに表面２２の少なくとも一部が車両室１２に露出するように開口２４を含んでいる。
【００２７】
ベース２０は、ほぼ平らな構造を有しており、及び／又は水平に対して傾斜した方向を有することができる。ある取り付けの場合、ベース２０は、車両室内における金属薄板の形状に一致させてもよい。図２及び図３は、ベース１１０，２１０が傾斜構造の部分１２０ａ，２２０ａを含む別の実施例による収納装置１１０，２１０を示している。
【００２８】
本発明の実施例によると、車室内のフロア敷物は、“ベース”の役目を果たしている。そのようにしてあるので、後部パネルはフロア敷物に旋回式に取り付けられている。従って、ベース２０は、別個の要素でもよいし、或いはフロア敷物でもよいし、或いはフロア自体とすることも可能である。
【００２９】
図１に戻り参照すると、図示の装置１０は、１つ以上の蝶番３８を介してヒンジ式に取り付けられており、対峙する前側面３２及び後側面３４と、対峙する第１端部３３ａ及び第２端部３３ｂとを有する後部パネル３０を含んでいる。この後部パネル３０は、前側面３２がベース表面２２に対し覆い被さる対面関係にある閉位置と、後部パネル３０がベース表面２２に対して実質的に垂直に配置される開位置との間で移動可能となっている。開位置において、後部パネル３０及びベース表面２２は（以下に述べるエンドパネル３９ａ，３９ｂと一緒に）、内部に物品を受け入れるための収納室３５を画成している。
【００３０】
ベース２０は、後部パネル３０が閉位置にあるときにフロア１４と実質的に同一平面にあるように、少なくとも部分的にフロア１４の直下に配置されている。本発明の実施例によると、ベース２０は、後部パネル３０が閉位置にあるときにフロア敷物１６の上に乗るように、フロア敷物１６上に配置されている。
【００３１】
後部パネル３０をベース２０に（又はフロア１４に、又はベース２０に隣接する他の車両要素に）旋回式に取り付けるため、殆どどんな形式の蝶番でも使用可能である。本発明の実施例によると、フロア敷物１６（例えば、カーペット）は、フロア１４の上に配置され、かつ後部パネル３０の後側面３４の上に配置されていると共に、蝶番としての機能を果たせるようになっている。ベース２０は、後部パネル３０が閉位置にあるときに、同後部パネル３０とその上に配置されたフロア敷物１６とがフロア１４と同一平面にあるように、フロア１４の実質的に直下に配置されている。従って、装置１０は、後部パネル３０が閉位置にあるときに、車両室のフロア１４と一体であるように見えることになる。
【００３２】
しかし、当然のことながら、本発明の実施例は、車両室のフロア又はフロア敷物と同一平面にある必要はない。更に、本発明の実施例は、フロア又はフロア敷物の上に直接に置くように構成されてもよい。
【００３３】
図１に示した実施例を更に参照すると、第１のエンドパネル３９ａ及び第２のエンドパネル３９ｂは、後部パネル３０の第１端部３３ａ及び第２端部３３ｂに移動可能に取り付けられている。第１のエンドパネル３９ａ及び第２のエンドパネル３９ｂは、後部パネルの前側面３２に対して対面関係にある格納位置と、ベース表面２２及び後部パネル３０に対して実質的に垂直に配置される使用位置との間で移動可能となっている。第１のエンドパネル３９ａ及び第２のエンドパネル３９ｂは、後部パネル３０がその閉位置から開位置へと移動するのに対応して、それぞれの格納位置から使用位置へ移動するものである。第１のエンドパネル３９ａ及び第２のエンドパネル３９ｂは、ベース表面２２及び後部パネル３０と一緒になって、内部に物品を受け入れるための収納室３５を画成している。
【００３４】
本発明の実施例によると、第１のエンドパネル３９ａ及び第２のエンドパネル３９ｂは、ベース表面２２に旋回式に取り付けられていると共に、ベース表面２２に対して対面関係にある格納位置と、ベース表面２２及び後部パネル３０に対して実質的に垂直に配置される使用位置との間で移動可能となっている。第１のエンドパネル３９ａ及び第２のエンドパネル３９ｂは、ベース表面２２に直接に取り付けられていても（或いはその近くに取り付けられていても）、後部パネル３０がその閉位置から開位置へ移動するのに対応して、それぞれの格納位置から使用位置へと移動するものである。
【００３５】
更に図１を参照すると、図示の装置１０は、後部パネル３０の前側面３２に移動可能に取り付けられた仕切パネル４０も含んでいる。この仕切パネル４０は、後部パネルの前側面３２に対して対面関係にある格納位置と、ベース表面２２及び後部パネル３０に対して実質的に垂直に配置される使用位置との間で移動可能となっている。仕切パネル４０は、後部パネル３０がその閉位置から開位置へと移動するのに対応して、その閉位置から開位置へと移動するものである。或いは、仕切パネル４０の移動は、後部パネル３０の移動とは独立していてもよい。仕切パネル４０は、使用位置にあるとき、収納室３５を複数の室部分３５ａ，３５ｂに分割している。
【００３６】
図示の実施例において、仕切パネル４０は、装置１０が開位置にあるときに第１のエンドパネル３９ａ及び第２のエンドパネル３９ｂとほぼ平行になっている。単一の仕切パネル４０のみが図示されているが、言うまでもなく、複数の仕切パネルを本発明の実施例に従って利用することができる。
【００３７】
仕切パネル４０は、１つ以上の蝶番４２ａにより後部パネル３０の前側面３２に移動可能に取り付けられている。或いは、仕切パネル４０は、１つ以上の蝶番４２ｂによりベース表面２２に移動可能に取り付けることができる。殆どどんな形式の蝶番でも仕切パネル４０を後部パネルの前側面３２又はベース表面２２に移動可能に取り付けるのに使用できる。本発明の実施例は、蝶番の特別な形式に限定されるものではない。
【００３８】
図１を更に参照すると、ハンドルもしくは取扱部７０が仕切パネル４０に付設されている。この取扱部７０は、ユーザーにより把持されるように形成されており、後部パネル３０を閉位置から開位置へと移動させ、それによりエンドパネル３９ａ，３９ｂをそれぞれの使用位置に移動させて内部に物品を受け入れるための収納室３５を形成するのに使用されている。そして、取扱部７０は、仕切パネル４０をその使用位置に移動させて収納室３５ａ，３５ｂを形成するのに使用可能である。本発明の別の実施例によれば、取扱部７０は後部パネル３０に付設させることができる。種々の形状及び構成を有する取扱部が本発明の実施例に従って使用可能である。更に、取扱部は、種々の位置で仕切パネル４０及び／又は後部パネル３０に設置することが可能である。言うまでもなく、本発明の実施例は取扱部を必要としない（即ち、取扱部は任意である）。
【００３９】
本発明の更なる実施例によると、図１に示すように、１つ以上の突起部５０（例えば、フック）を設けることができ、これは後部パネルの前側面３２から延びている。各突起部５０は、そこから懸架される食料雑貨品の入ったバッグのような物品を支持するように構成されている。
【００４０】
本発明の更なる実施例によると、図１に示すように、収納室３５及び／又は収納室３５ａ，３５ｂとその内部に収納された物品とを囲むように構成された荷物用ネット６０は、後部パネル３０に取り付けることが可能である。
【００４１】
使用中、図１の組立式装置１０が内部に取り付けられた車両の車両室１２に物品を積載し運搬したい場合、装置１０は、取扱部７０の簡単な動作により、格納位置から移動されて開位置にカチッと入る。本発明の実施例によると、後部パネル４０、エンドパネル３９ａ，３９ｂ及び仕切パネル４０は、ロックされた方向にカチッと入って、装置１０を閉じる必要が生じるまで、確実に所定位置に留められることになる。
【００４２】
格納位置から使用位置への仕切パネル４０の移動により、後部パネル３０を閉位置から開位置へ移動させることができ、これにより第１のエンドパネル３９ａ及び第２のエンドパネル３９ｂがそれぞれの格納位置から使用位置へと移動することになる。或いは、格納位置から使用位置への後部パネル３０の移動により、第１のエンドパネル３９ａ及び第２のエンドパネル３９ｂをそれぞれの格納位置から使用位置へと移動させてもよい。仕切パネル４０の作動は、後部パネル３０の移動とは独立していてもよい。
【００４３】
装置１０がその内部に物品を収納しておくのに使用する必要がもはやないときには、上述した手順を逆に行えばよい。例えば、どの追加の仕切パネルも旋回させて、ベース表面２２又は後部パネルの前側面３２のどちらかに当接配置させ、次いで後部パネル３０を閉位置に移動させることにより、エンドパネル３９ａ，３９ｂをそれぞれの閉位置に移動させることができる。従って、本発明の実施例による装置は、格納位置、閉位置から開位置、使用位置に迅速且つ容易に移動することができる。
【００４４】
図２を参照すると、車両室内に物品を収納するための本発明の別の実施例による組立式収納装置１１０が示されている。図示の装置１１０は、傾斜構造の部分１２０ａを有するベース１２０を含んでいる。後部パネル１３０は、ベース１２０に移動可能に取り付けられていると共に、図示のように、その一部に形成された開口１３１を有している。荷物用ネット６０は、後部パネルの開口１３１を横断して広がり、後部パネル１３０とベースの傾斜した部分１２０ａとにより画成された収納室１３５内にユーザーが物品を置くことを可能にしている。また、後部パネル１３０又はベース１２０のどちらかに移動可能に取り付けられる仕切パネル１４０も設けられている。上述したように、仕切パネル１４０は、格納位置と使用位置との間を移動可能である。
【００４５】
また、装置１１０の後部パネル１３０を開位置に保持するためにロック部材１５０が設けられている。図示のロック部材１５０は、ベース１２０に対して上下動するように構成されている。後部パネル１３０が開位置に移動されるときに、ロック部材１５０が下方に移動し、後部パネル１３０を開位置に保持している。後部パネル１３０を閉位置へと下降させるためには、ロック部材１５０を上方に移動させると、後部パネル１３０が旋回可能になる。種々の構成を有する種々のロック部材が本発明の実施例に従い利用し得るものである。本発明の実施例は、図示のロック部材１５０に限定されるものでない。
【００４６】
図４を参照すると、車両室内に物品を収納するための本発明の代替実施例による組立式収納装置３１０が示されている。図示の装置３１０は、隣接してはいるが離間した関係でベース表面３２２に（或いはその近くに）移動可能に取り付けられた一対の仕切パネル３４０ａ，３４０ｂを含んでいる。各仕切パネル３４０ａ，３４０ｂは、ベース表面３２２に対して対面関係にある格納位置と、収納室３３５を複数の部分に分けるようにベース表面３２２及び後部パネル３４０に対して実質的に垂直に配置される使用位置との間で移動可能となっている。対の仕切パネル３４０ａ，３４０ｂには、部材３５０を介してハンドルもしくは取扱部３７０が回転自在に接続されている。この取扱部３７０は、ユーザーにより把持されて仕切パネル３４０ａ，３４０ｂを格納位置から使用位置に動かすように構成されている。
【００４７】
仕切パネル３４０ａ，３４０ｂを格納位置から使用位置に動かすために、ユーザーは、ベース表面３２２に対して対面関係で置かれた取扱部３７０を掴み、矢印Ａ１で示されたように取扱部３７０を回転させ、矢印Ａ２で示されたように引き上げる。仕切パネル３４０ａ，３４０ｂは、矢印Ａ２で示された運動に追従し、それぞれ矢印Ａ３，Ａ４により示されたように使用位置へと移動することになる。
【００４８】
必要のない場合には、仕切パネル３４０ａ，３４０ｂは、上述の操作を逆に行うことにより、格納位置へ戻すことができる。本願発明の実施例によると、仕切パネル３４０ａ，３４０ｂ及び取扱部３７０は、格納時に、ベース３２２の内側に水平装着の形態で保持し得るようになっている。しかし、仕切パネル３４０ａ，３４０ｂ及び取扱部３７０を、格納時に、ベース３２２の内側に水平装着の形態で保持することが要求されるものではない。
【００４９】
次に、図５Ａ及び図５Ｂを参照すると、車両室１２内に物品を収納するための本発明の他の実施例による組立式収納装置４１０が示されている。この装置４１０は、車両室１２のフロア１４上に配置されたベース４２０を含んでいる。ベース４２０は、向かい合う第１の端部４２１ａ及び第２の端部４２１ｂと、向かい合う第１の縁部４２１ｃ及び第２の縁部４２１ｄと、車両室１２に露出する表面４２２とを含んでいる。第１及び第２の伸張式壁体４２５ａ，４２５ｂは、それぞれ第１の端部４２１ａ及び第２の端部４２１ｂから延びると共に、パネル４３０に取り付けられている。
【００５０】
パネル４３０は、ベース４２０に枢着されると共に、第１の端部４３０ａ及び第２の端部４３０ｂを含んでいる。これら第１の端部４３０ａ及び第２の端部４３０ｂはそれぞれ第１の伸張式壁体４２５ａ及び第２の伸張式壁体４２５ｂに接続されている。図示のパネル４３０は、貫通形成された開口４３１を含んでおり、この開口４３１の上側には荷物用ネット６０が掛かっている。
【００５１】
パネル４３０は、ベース表面４２２に対して覆い被さる対面関係にある閉位置（図５Ａ）と、ベース表面４２２に対し実質的に交差配置される開位置（図５Ｂ）との間で移動可能となっている。ベース４２２、第１の伸張式壁体４２５ａ及び第２の伸張式壁体４２５ｂとパネル４３０は、内部に物品を受け入れるための１つ以上の収納室を画成している。
【００５２】
図示の伸張式壁体４２５ａ，４２５ｂの各々は、第１端部４２６ａで一緒にピン留めされていると共に、反対側に自由端４２６ｂを有する複数の部材４２６を含んでいる。各伸張式壁体４２５ａ，４２５ｂの部材４２６は、パネル４３０が閉位置（図５Ａ）から開位置（図５Ｂ）へと移動するときに、積み重なった積重関係（図５Ａ）から扇形に広がった関係（図５Ｂ）に移動するように構成されている。
【００５３】
本発明の実施例は図示の伸張式壁体４２５ａ，４２５ｂに限定されない。種々の形式及び構成の伸張式及び組立式壁体を使用することが可能である（例えば、入れ子式壁体、アコーディオン式のベローズを有する壁体等）。
【００５４】
図６Ａ及び図６Ｂに示すように、解除可能にパネル４３０を開位置に固定するためにロック部材４５０が設けられている。ロック部材４５０は、各伸張式壁体４２５ａ，４２５ｂについて設けてもよく、或いは一つの伸張式壁体（即ち、４２５ａ又は４２５ｂ）についてだけ設けてもよい。図示のロック部材４５０は、第１及び第２の細長いアーム４５１，４５２を含み、各アームが両端に第１端部４５１ａ，４５１ｂ及び第２端部４５２ａ，４５２ｂを有している。第１のアームの第１端部４５１ａは、ベース４２０又はその近くに枢着される。第２のアームの第１端部４５２ａはパネル４３０に枢着されている。第１及び第２のアーム４５１，４５２の第２端部４５１ｂ，４５２ｂは、互いに枢着されている。
【００５５】
パネル４３０を開位置にロックするために、第１及び第２のアーム４５１，４５２の第２端部４５１ｂ，４５２ｂが引き上げられると、ロック部材４５０の構成によりベース４２０に向かうパネル４３０の移動が阻止されるようになっている（図６Ａ）。パネル４３０を開位置からアンロック（もしくは解除）してパネル４３０が閉位置に移動するのを許容するため、図６Ｂに示すように、下向きの力Ｆが第１及び第２のアーム４５１，４５２の第２端部４５１ｂ，４５２ｂに加えられることになる。そして、各伸張式壁体４２５ａ，４２５ｂの部材４２６は、パネル４３０が閉位置へ移動するにつれて、扇形に広がった関係から積重関係に移動することが可能になる。
【００５６】
図７Ａ及び図７Ｂを参照すると、車両室内に物品を収納するための本発明の他の実施例による組立式収納装置５１０が示されている。この装置５１０は、車両室１２のフロア１４上に配置されるベース５２０を含んでいる。ベース５２０は、向かい合う第１端部５２１ａ及び第２端部５２１ｂと、向かい合う第１縁部５２１ｃ及び第２縁部５２１ｄと、車両室１２に露出する表面５２２とを含んでいる。荷物用弾性ネット５２５ａ，５２５ｂは、それぞれ第１端部５２１ａ及び第２端部５２１ｂに隣接してベース表面５２２から延びると共に、パネル５３０に取り付けられている。
【００５７】
パネル５３０は、ベース５２０に枢着されていると共に、対向する第１端部５３０ａ及び第２端部５３０ｂを含んでいる。これら第１端部５３０ａ及び第２端部５３０ｂは、荷物用弾性ネット５２５ａ，５２５ｂに連結されている。パネル５３０は、ベース表面５２２に対して覆い被さる対面関係にある閉位置（図７Ａ）と、ベース表面５２２に対し実質的に交差配置される開位置（図７Ｂ）との間で移動可能となっている。ベース５２２、荷物用弾性ネット５２５ａ，５２５ｂ及びパネル５３０は、内部に物品を受け入れるための１つ以上の収納室を画成している。
【００５８】
本発明の実施例は荷物用弾性ネットに限定されない。種々の形式の弾性部材を利用することが可能である。
【００５９】
次に図８Ａ及び図８Ｂを参照すると、車両室１２内に物品を収納するための本発明の他の実施例による組立式収納装置６１０が示されている。この装置６１０は、物品を収納できる２つの収納室６３５ａ，６３５ｂを含んでいる。第１収納室６３５ａは、車両フロア１４、一対の伸張式壁体６２５ａ，６２５ｂ及びパネル６３０により画成されている。収納室６３５ａの上側にあるパネル６３０の部分は、貫通形成された開口６３１を含んでおり、荷物用ネット６０がこの開口６３１に覆い被さっている。第２収納室６３５ｂは、ベース６２０、一対の伸張式壁体６２５ｂ，６２５ｃ及びパネル６３０により画成されている。
【００６０】
図示の伸張式壁体６２５ａ，６２５ｂ，６２５ｃの各々は、第１端部６２６ａで一緒にピン留めされていると共に、反対側にある自由端６２６ｂを有する複数の部材６２６を含んでいる。各伸張式壁体６２５ａ，６２５ｂの部材６２６は、前述したように、パネル６３０が閉位置（図８Ａ）から開位置（図８Ｂ）へと移動するときに、積重関係（図８Ａ）から扇形に広がった関係（図８Ｂ）に移動するように構成されている。
【００６１】
本発明の実施例は、図示の伸張式壁体６２５ａ，６２５ｂ，６２５ｃに限定されない。種々の形式及び構成の伸張式及び組立式壁体を使用することが可能である（例えば、入れ子式壁体、アコーディオン式のベローズを有する壁体等）。
【００６２】
図９を参照すると、車両室１２’内に物品を収納するための本発明の他の実施例による組立式収納装置７１０が示されている。図９において開位置に示されている装置７１０は、車両室１２’内に枢着されている（例えば、ベース又はフロア敷物又はフロアに取り付けられている）後部パネル７３０を含んでおり、この後部パネル７３０は、フロア（又はベース又はフロア敷物）と協働して収納室７３５を画成している。付勢装置７１３は、後部パネル７３０と車両フロア（又は車両室１２’の他の部分）とに取り付けられており、後部パネル７３０を開位置に付勢するように構成されている。図示の付勢装置７１３は、自動車産業分野でハッチバックドア、ボンネット等を支持するのに使用されている形式の伸縮式緩衝装置もしくは支柱（例えば、ガス、ハイドロリック）である。この伸縮式緩衝装置は当業者に良く知られており、ここで更に説明する必要はない。また、図示の付勢装置７１３は、後部パネル７３０を開位置に解除可能に保持するように構成されたロック部材の機能も果たすことができる。或いは、付勢装置７１３は、後部パネル７３０を開位置から閉位置に付勢すると共に、後部パネル７３０を閉位置に維持するのに役立つように構成されていてもよい。
【００６３】
言うまでもなく、同一又は異なる機能を奏する追加の付勢装置を使用することができる。例えば、１つ以上の付勢装置を設けて後部パネル７３０を開位置に付勢してもよいし、また、１つ以上の付勢装置を設けて後部パネル７３０を閉位置に付勢してもよい。
【００６４】
本発明の実施例に従って種々の形式の付勢装置を使用することが可能である。本発明の実施例は、伸縮式緩衝装置に限定されない。ばね、ダンパー及びその他既知の付勢装置も制限なしに使用することが可能である。
【００６５】
また、図９の装置７１０は、車両のフロア（又はベースもしくはフロア敷物）と後部パネル７３０の前側面７３２とに取り付けられた可撓性材料７１５も含んでおり、この可撓性材料７１５は、後部パネル７３０が開位置に移動するときに収納室７３５を複数の室部分７３５ａ，７３５ｂ，７３５ｃに分割するものである。具体例としての可撓性材料７１５は荷物用ネットでもよい。しかし、本発明の実施例は荷物用ネットに限定されない。種々の材料を制限なしに使用することができる。
【００６６】
図１０Ａ及び図１０Ｂを参照すると、車両室１２’内に物品を収納するための本発明の更なる実施例による組立式収納装置８１０が開位置で示されている。図１０Ａ及び図１０Ｂにおいて、開位置で示されている装置８１０は、車両室１２’内に隣接離間した関係で枢着されている（例えば、ベースもしくはフロア敷物又はフロアに取り付けられている）複数の細長いパネル８３０を含んでおり、該パネル８３０は、フロア（又はベースもしくはフロア敷物）と協働して複数の収納室８３５を画成している。図示のパネル８３０は、ほぼ平行に離間された関係にある。
【００６７】
各パネル８３０は、対向する前側面８３２及び後側面８３４を含んでいる。これらパネル８３０は、閉位置及び開位置間で一括して移動可能となっている。閉位置において、各パネル８３０の前側面８３２は、車両のフロア（又はベースもしくはフロア敷物）に覆い被さる対面関係にある。開位置において、パネル８３０は、車両フロア（又はベースもしくはフロア敷物）に対して実質的に交差するように集合的に配置され、内部に物品を受け入れるための複数の収納室８３５を画成している。
【００６８】
図示の実施例において、これらパネル８３０は、各パネル８３０に移動可能に装着された部材８３１を介して閉位置及び開位置間を一括して移動できるようになっている。図示実施例において、部材８３１は、その各端部近くで各パネル８３０に移動可能に装着されている。しかし、言うまでもなく、該部材８３１は各パネル８３０に種々の個所で移動可能に取り付けられる。更に、部材８３１は、種々の構成をもつことができる。ハンドルもしくは取扱部８３３は、部材８３１に取り付けられていると共に、該部材８３１を動かすことによりパネル８３０を閉位置及び開位置間で一括して移動させるため、ユーザーにより把持されるように構成されている。
【００６９】
本発明の更なる実施例によると、パネル８３０を開位置に付勢するように構成された少なくとも１つの付勢装置（図示せず）を１つ以上のパネル８３０に取り付けてもよい。また、フロア敷物を車両室のフロアに設けることができる。パネル８３０が一括して閉位置にあるとき、装置８１０が車両室１２’と一体的な外観を有するように、同じフロア敷物を１つ以上のパネル８３０の後側面８３４に設けることができる。
【００７０】
図１１Ａ及び図１１Ｂを参照すると、車両室１２’内に物品を収納するための本発明の更なる実施例による組立式収納装置９１０が示されている。この装置９１０は、車両室のフロア（又はフロア敷物もしくはベース）に脚部材９４１を介して枢着される細長いパネル９３０を含んでいる。パネル９３０は、フロア（又はフロア敷物もしくはベース）と実質的に接触する対面関係にある格納位置と、パネル９３０がフロア（又はフロア敷物又はベース）と離間した対面関係にある使用位置との間で移動可能となっている。使用位置において、パネル９３０はテーブル及び／又は棚の機能を果たすことができる。図示の実施例において、ハンドルもしくは取扱部９３３は、パネル９３０に接続されていると共に、ユーザーにより把持されてパネル９３０を格納位置及び使用位置間で動かせるように構成されている。
【００７１】
図１２Ａ，図１２Ｂ，図１３Ａ，図１３Ｂ，図１４Ａ，図１４Ｂ及び図１５を参照すると、車両室内に物品を収納するための組立式収納装置１０１０の諸実施例が示されている。図示の各実施例において、各装置１０１０は、車両のフロア（又はベースもしくはフロア敷物）に枢着される複数の壁体１０３０を含んでいる。壁体１０３０は、折畳まれた平らな配置ではフロア（又はベース又はフロア敷物）に覆い被さり、広げると内部に物品を受け入れるための１つ以上の収納室１０３５になるように構成されている。図示の各実施例において、ハンドルもしくは取扱部１０３３が壁体１０３０の１つに接続されており、この取扱部１０３３は、ユーザーにより把持されるように構成されていると共に、種々の壁体１０３０の１つ以上を広げて１つ以上の収納室１０３５にするのに使用されている。
【００７２】
この明細書において例示し説明した収納装置の各実施例は、車両室内に容易に設置できると共に、そこから容易に除去可能であるように可搬式にすることができる。本発明の諸実施例は自動車のトランク内への設置に関連して例示し説明されているが、本発明の実施例による装置が種々の形式の車両のその他種々の収納室及び区域に設置可能であることは言うまでもない。
【００７３】
以上は、本発明を説明するためであって、本発明を限定するものと解釈すべきではない。本発明の幾つかの典型的な実施例について説明してきたが、当業者なら容易に分かるように、本発明の新規な教示内容及び利点から実質的に逸脱することなく、典型的な実施例には多くの改変が可能である。従って、このような改変の全ては、特許請求の範囲に記載された本発明の範囲に含まれるものと考えられる。それ故、当然のことながら、以上は、本発明を説明するためであって、開示された特定の実施例に限定されるものと解釈すべきではなく、また、言うまでもなく、開示された実施例だけでなく、その他の実施例に対する改変も特許請求の範囲に含まれると解釈されるべきである。本発明の範囲は冒頭の特許請求の範囲により画定されており、同特許請求の範囲の相当語句も本発明の範囲に含まれている。
【図面の簡単な説明】
【図１】車両室内に物品を収納するための本発明の実施例による組立式収納装置の斜視図である。
【図２】車両室内に物品を収納するための本発明の他の実施例による組立式収納装置の斜視図である。
【図３】車両室内に物品を収納するための本発明の他の実施例による組立式収納装置の斜視図である。
【図４】車両室内に物品を収納するための本発明の他の実施例による組立式収納装置の斜視図である。
【図５Ａ】車両室内に物品を収納するための本発明の他の実施例による組立式収納装置の斜視図であり、閉位置にある収納装置を示している。
【図５Ｂ】車両室内に物品を収納するための本発明の他の実施例による組立式収納装置の斜視図であり、開位置にある収納装置を示している。
【図６Ａ】可動のパネルを開位置に解除可能に固定するように構成されたロック部材を示す図５Ａ及び図５Ｂの装置の側面図であり、ベースに向かうパネルの移動を阻止するようにロック位置にあるロック部材を示している。
【図６Ｂ】可動のパネルを開位置に解除可能に固定するように構成されたロック部材を示す図５Ａ及び図５Ｂの装置の側面図であり、パネルがベースに向かい閉位置へと移動するのをロック部材が許容するように第１及び第２のアームの第２端部に力が加えられている状態を示している。
【図７Ａ】車両室内に物品を収納するための本発明の他の実施例による組立式収納装置の斜視図であり、閉位置にある収納装置を示している。
【図７Ｂ】車両室内に物品を収納するための本発明の他の実施例による組立式収納装置の斜視図であり、開位置にある収納装置を示している。
【図８Ａ】車両室内に物品を収納するための本発明の他の実施例による組立式収納装置の斜視図であり、閉位置にある収納装置を示している。
【図８Ｂ】車両室内に物品を収納するための本発明の他の実施例による組立式収納装置の斜視図であり、開位置にある収納装置を示している。
【図９】車両室内に物品を収納するための本発明の更なる実施例による組立式収納装置の斜視図である。
【図１０Ａ】車両室内に物品を収納するための本発明の付加的な実施例による組立式収納装置の斜視図である。
【図１０Ｂ】図１０Ａの組立式収納装置の側面図である。
【図１１Ａ】車両室内に物品を収納するための本発明の更なる実施例による組立式収納装置の斜視図である。
【図１１Ｂ】図１１Ａの組立式収納装置の側面図である。
【図１２Ａ】本発明の他の実施例による組立式収納装置を示している。
【図１２Ｂ】本発明の他の実施例による組立式収納装置を示している。
【図１３Ａ】本発明の他の実施例による組立式収納装置を示している。
【図１３Ｂ】本発明の他の実施例による組立式収納装置を示している。
【図１４Ａ】本発明の他の実施例による組立式収納装置を示している。
【図１４Ｂ】本発明の他の実施例による組立式収納装置を示している。
【図１５】本発明の他の実施例による組立式収納装置を示している。
【図２】
2004502584.tif 000003
【図５Ａ】
2004502584.tif 000004
【図５Ｂ】
2004502584.tif 000005
【図６Ａ】
2004502584.tif 000006
【図６Ｂ】
2004502584.tif 000007
【図７Ａ】
2004502584.tif 000008
【図７Ｂ】
2004502584.tif 000009
2004502584.tif 000010
【国際公開パンフレット】
2004502584.tif 000011
2004502584.tif 000012
2004502584.tif 000013
2004502584.tif 000014
2004502584.tif 000015
2004502584.tif 000016
2004502584.tif 000017
2004502584.tif 000018
2004502584.tif 000019
2004502584.tif 000020
2004502584.tif 000021
2004502584.tif 000022
2004502584.tif 000023
2004502584.tif 000024
2004502584.tif 000025
2004502584.tif 000026
2004502584.tif 000027
2004502584.tif 000028
2004502584.tif 000029
2004502584.tif 000030
2004502584.tif 000031
2004502584.tif 000032
2004502584.tif 000033
2004502584.tif 000034
2004502584.tif 000035
2004502584.tif 000036
2004502584.tif 000037
2004502584.tif 000038
2004502584.tif 000039
2004502584.tif 000040
2004502584.tif 000041
2004502584.tif 000042
2004502584.tif 000043
2004502584.tif 000044
2004502584.tif 000045
2004502584.tif 000046
2004502584.tif 000047
2004502584.tif 000048
2004502584.tif 000049
2004502584.tif 000050
2004502584.tif 000051
2004502584.tif 000052
2004502584.tif 000053
2004502584.tif 000054
2004502584.tif 000055
2004502584.tif 000056
2004502584.tif 000057
2004502584.tif 000058
2004502584.tif 000059
2004502584.tif 000060
2004502584.tif 000061
2004502584.tif 000062
2004502584.tif 000063
2004502584.tif 000064
2004502584.tif 000065
2004502584.tif 000066
2004502584.tif 000067
2004502584.tif 000068
2004502584.tif 000069
2004502584.tif 000070
2004502584.tif 000071
2004502584.tif 000072
2004502584.tif 000073
2004502584.tif 000074
2004502584.tif 000075
2004502584.tif 000076
2004502584.tif 000077
2004502584.tif 000078
2004502584.tif 000079
2004502584.tif 000080
2004502584.tif 000081
2004502584.tif 000082
2004502584.tif 000083
2004502584.tif 000084
2004502584.tif 000085
2004502584.tif 000086
2004502584.tif 000087
2004502584.tif 000088
2004502584.tif 000089
2004502584.tif 000090
2004502584.tif 000091
2004502584.tif 000092
2004502584.tif 000093
【国際公開パンフレット（コレクトバージョン）】
2004502584.tif 000094
2004502584.tif 000095
2004502584.tif 000096
2004502584.tif 000097
2004502584.tif 000098
2004502584.tif 000099
2004502584.tif 000100
2004502584.tif 000101
2004502584.tif 000102
2004502584.tif 000103
2004502584.tif 000104
2004502584.tif 000105
2004502584.tif 000106
2004502584.tif 000107
2004502584.tif 000108
2004502584.tif 000109
2004502584.tif 000110
2004502584.tif 000111
2004502584.tif 000112
2004502584.tif 000113
2004502584.tif 000114
2004502584.tif 000115
2004502584.tif 000116
2004502584.tif 000117
2004502584.tif 000118
2004502584.tif 000119
2004502584.tif 000120
2004502584.tif 000121
2004502584.tif 000122
2004502584.tif 000123
2004502584.tif 000124
2004502584.tif 000125
2004502584.tif 000126
2004502584.tif 000127
2004502584.tif 000128
2004502584.tif 000129
2004502584.tif 000130
2004502584.tif 000131
2004502584.tif 000132
2004502584.tif 000133
2004502584.tif 000134
2004502584.tif 000135
2004502584.tif 000136
2004502584.tif 000137
2004502584.tif 000138
2004502584.tif 000139
2004502584.tif 000140
2004502584.tif 000141
2004502584.tif 000142
2004502584.tif 000143
2004502584.tif 000144
2004502584.tif 000145
2004502584.tif 000146
2004502584.tif 000147
2004502584.tif 000148
2004502584.tif 000149
2004502584.tif 000150
2004502584.tif 000151
2004502584.tif 000152
2004502584.tif 000153
2004502584.tif 000154
2004502584.tif 000155
2004502584.tif 000156
2004502584.tif 000157
2004502584.tif 000158
2004502584.tif 000159
2004502584.tif 000160
2004502584.tif 000161
2004502584.tif 000162
2004502584.tif 000163
2004502584.tif 000164
2004502584.tif 000165
2004502584.tif 000166
2004502584.tif 000167
2004502584.tif 000168
2004502584.tif 000169
2004502584.tif 000170
2004502584.tif 000171
2004502584.tif 000172
2004502584.tif 000173
2004502584.tif 000174
2004502584.tif 000175
2004502584.tif 000176
【国際調査報告】
2004502584.tif 000177
2004502584.tif 000178
2004502584.tif 000179